(57)【要約】【課題】小型化または設計自由度の向上を図ることのできるプロジェクタを提供すること。【解決手段】本発明のプロジェクタは、光源装置４０は、光源装置４０が光源装着部に装着された際に電源側コネクタ５１に接続する光源側コネクタ４１５を備え、電源側コネクタ５１は、電源側接続面５１１１に設けられた端子５１１２と電源側接続面５１１１を被覆する向きおよび開放する向きへ移動可能に設けられたシャッター部５１２と、シャッター部５１２を電源側接続面５１１１を被覆する向きへ移動させ、かつ、被覆した状態で維持させるばね５１３とを備え、光源側コネクタ４１５は、光源側接続面４１５３に設けられた端子４１５４と、光源装置４０の光源装着部に対する装着向きへの移動に伴って、シャッター部５１２を電源側接続面５１１１を開放する向きへ移動させる突起部４１５２とを備えている。【選択図】図３
2007264273.tif 000002
【特許請求の範囲】
【請求項１】
光源装置と、前記光源装置から出力された光束を画像情報に応じて変調し光学像を形成する光変調装置と、前記光変調装置で形成された光学像を拡大投射する投射光学装置と、前記光源装置に電力を供給する電源装置とを有する装置本体を備えたプロジェクタであって、
前記装置本体には、前記光源装置が着脱される光源装着部が形成され、
前記電源装置は、前記光源装着部に配置され前記光源装置が前記光源装着部に装着された際に前記光源装置に接続する電源側コネクタを備え、
前記光源装置は、当該光源装置が前記光源装着部に装着された際に前記電源側コネクタに接続する光源側コネクタを備え、
前記電源側コネクタは、
コネクタ本体と、
前記コネクタ本体に形成され、前記電源側コネクタに対向する電源側面部と、
前記電源側面部に設けられた電極と
前記電源側面部を被覆する向きおよび開放する向きへ移動可能に設けられた蓋部と
前記蓋部を前記電源側面部を被覆する向きへ移動させる移動手段と、
前記蓋部を前記電源側面部を被覆した状態で維持させる維持手段とを備え、
前記光源側コネクタは、
コネクタ本体と、
前記コネクタ本体に形成され、前記光源側コネクタに接続する光源側面部と、
前記光源側面部に設けられた電極と、
前記光源装置の前記光源装着部に対する装着向きへの移動に伴って、前記蓋部を前記電源側面部を開放する向きへ移動させる開放手段とを備えていることを特徴とするプロジェクタ。
【請求項２】
請求項１に記載のプロジェクタにおいて、
前記移動手段および前記維持手段は、前記蓋部を前記電源側面部を被覆する向きへ付勢する付勢手段であることを特徴とするプロジェクタ。
【請求項３】
請求項１または請求項２に記載のプロジェクタにおいて、
前記光源側コネクタの前記開放手段は、前記コネクタ本体に設けられた押圧部であり、
前記蓋部は、平面部と、前記光源装置の前記光源装着部に対する装着向きへの移動時に、前記押圧部が当接する受け部とを備え、
前記押圧部は、前記光源装置の前記光源装着部に対する装着向きへの移動に伴って、前記蓋部の受け部を、前記電源側面部を開放する向きへ押圧することで移動させることを特徴とするプロジェクタ。
【請求項４】
請求項３に記載のプロジェクタにおいて、
前記受け部は、前記平面部よりも前記装着向き側に設けられていることを特徴とするプロジェクタ。
【請求項５】
請求項３または請求項４に記載のプロジェクタにおいて、
前記押圧部には、前記光源装置の前記光源装着部に対する装着向きへの移動に伴って、前記受け部に当接する押圧面が形成され、
前記受け部には、前記光源装置の前記光源装着部に対する装着向きへの移動に伴って、前記押圧部により当接される被押圧面が形成され、
前記押圧面および前記被押圧面の少なくともいずれか一方は、前記装着向きへ沿うにつれて、前記蓋部が前記電源側面部を開放する向きとは反対側へ次第に傾斜していることを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調して光学像を形成する液晶パネルと、液晶パネルで形成された光学像を、投射画像として拡大投射する投射レンズとを備えたプロジェクタが利用されている。さらに、このようなプロジェクタは、光源装置および液晶パネルを含む光学ユニットを収納配置する光学部品用筐体と、これら光学ユニットに電力を供給する電源装置なども備えている。
【０００３】
このようなプロジェクタでは、経年使用に伴い光源装置が劣化するため、次第に投写画像の輝度が低下する。このため、光源装置が光学部品用筐体に着脱可能に構成され、使用者によって光源装置を交換することのできるプロジェクタが提供されている（例えば、特許文献１参照）。
光源装置を交換するには、光源装置に設けられた光源側コネクタを、光学部品用筐体に配置された電源装置の電源側コネクタに接続させながら、光源装置を光学部品用筐体に装着する。光源側コネクタおよび電源側コネクタの接続により、電源装置から光源装置へ電力を供給することができる。
光源装置は電源装置から高電圧が印加される。このため、例えば、使用者が、プロジェクタの電源が入ったまま光源装置交換作業を行った場合、電源側コネクタの電極に指が触れてしまい感電する恐れがある。
【０００４】
これに対し、光源装置交換時に、発明者の指が電源側コネクタの電極に近づくことを防止するプロジェクタが開示されている。このようなプロジェクタの電源側コネクタは、コネクタの開口から、使用者の指が届かないほど奥まった箇所に電極が配置された構成となっている。このような構成により、光源装置交換時に、使用者の指が電源側コネクタの電極に近づくことを防止している。
【０００５】
【特許文献１】特開２００５−４３６００号公報
【発明の開示】
【発明が解決しようとする課題】
【０００６】
しかしながら、前述したプロジェクタでは、電源側コネクタが、コネクタの開口から奥まった箇所に電極が配置された構成であるため、電源コネクタのサイズが大きくなってしまう。これにより、特許文献１に記載のプロジェクタでは、このような電源側コネクタを搭載することによるプロジェクタの大型化や、電源コネクタのサイズがプロジェクタの設計上の制約になってしまうなどの課題が生じる。
【０００７】
本発明の目的は、小型化および設計自由度の向上を図ることのできるプロジェクタを提供することにある。
【課題を解決するための手段】
【０００８】
本発明のプロジェクタは、光源装置と、前記光源装置から出力された光束を画像情報に応じて変調し光学像を形成する光変調装置と、前記光変調装置で形成された光学像を拡大投射する投射光学装置と、前記光源装置に電力を供給する電源装置とを有する装置本体を備えたプロジェクタであって、前記装置本体には、前記光源装置が着脱される光源装着部が形成され、前記電源装置は、前記光源装着部に配置され前記光源装置が前記光源装着部に装着された際に前記光源装置に接続する電源側コネクタを備え、前記光源装置は、当該光源装置が前記光源装着部に装着された際に前記電源側コネクタに接続する光源側コネクタを備え、前記電源側コネクタは、コネクタ本体と、前記コネクタ本体に形成され、前記電源側コネクタに接続する電源側面部と、前記電源側面部に設けられた電極と前記電源側面部を被覆する向きおよび開放する向きへ移動可能に設けられた蓋部と前記蓋部を前記電源側面部を被覆する向きへ移動させる移動手段と、前記蓋部を前記電源側面部を被覆した状態で維持させる維持手段とを備え、前記光源側コネクタは、コネクタ本体と、前記コネクタ本体に形成され、前記光源側コネクタに接続する光源側面部と、前記光源側面部に設けられた電極と、前記光源装置の前記光源装着部に対する装着向きへの移動に伴って、前記蓋部を前記電源側面部を開放する向きへ移動させる開放手段とを備えていることを特徴とする。
【０００９】
本発明によれば、光源装置が光源装着部に装着されていない際には、移動手段が蓋部を電源側面部を被覆する向きへ移動し、維持手段が蓋部を電源側面部を被覆した状態で維持させている。
さらに、光源装置を光源装着部に装着する際には、光源装置の光源装着部に対する装着向きへの移動に伴って、光源側コネクタの開放手段が、蓋部を電源側面部を開放する向きへ移動させる。そして、光源装置の光源装着部に対する装着向きへの移動に伴って、開放された電源側面部の電極に光源側面部の電極を接続することで、光源側コネクタと電源側コネクタとの接続、および、光源装置の光源装着部への装着が完了する。すなわち、光源装置の光源装着部に対する装着向きへの移動に伴って電源側面部が開放されるため、使用者は、光源装置の装着時に、電源側コネクタ付近に手を伸ばす必要がない。
このような構成によれば、本実施形態の電源側コネクタは、従来のプロジェクタの電源側コネクタのように使用者の指が届かないほど奥まった箇所に電極が配置された構造に対して、小型化を図ることができる。従って、電源側コネクタを搭載することによるプロジェクタの大型化や、電源コネクタのサイズがプロジェクタの設計上の制約となることを防ぐことができる。
【００１０】
本発明では、前記移動手段および前記維持手段は、前記蓋部を前記電源側面部を被覆する向きへ付勢する付勢手段であることが好ましい。
本発明によれば、ばね等の付勢手段の付勢力によって、蓋部を電源側面部を被覆する向きへ移動し、さらに、蓋部を電源側面部を被覆した状態で維持させることができる。従って、電源側コネクタの構成を簡素化し、部品点数を削減することができる。
【００１１】
本発明では、前記光源側コネクタの前記開放手段は、前記コネクタ本体に設けられた押圧部であり、前記蓋部は、平面部と、前記光源装置の前記光源装着部に対する装着向きへの移動時に、前記押圧部が当接する受け部とを備え、前記押圧部は、前記光源装置の前記光源装着部に対する装着向きへの移動に伴って、前記蓋部の受け部を、前記電源側面部を開放する向きへ押圧することで移動させることが好ましい。
本発明によれば、光源装置の光源装着部に対する装着向きへの移動に伴って、光源側コネクタの押圧部が、電源側コネクタの蓋部の受け部を電源側面部を開放する向きへ押圧する。すると、押圧部による受け部への押圧によって、蓋部が電源側面部を開放する向きへ移動し、電源側面部が開放される。すなわち、光源装置の装着向きへの移動と、蓋部が電源側面部を開放する向きへの移動を、比較的簡単な原理で連動させることができる。従って、光源側コネクタおよび電源側コネクタの構成を簡素化し、故障しにくい構成とすることができる。
【００１２】
本発明では、前記受け部は、前記平面部よりも前記装着向き側に設けられていることが好ましい。
本発明によれば、受け部は、平面部よりも装着向き側に設けられていることから、使用者の指が届きにくい側に設けられていることになる。従って、使用者が、受け部を指で押して、蓋部を電源側面部を開放する向きへ移動させることを防ぐことができる。
【００１３】
本発明では、前記押圧部には、前記光源装置の前記光源装着部に対する装着向きへの移動に伴って、前記受け部に当接する押圧面が形成され、前記受け部には、前記光源装置の前記光源装着部に対する装着向きへの移動に伴って、前記押圧部により当接される被押圧面が形成され、前記押圧面および前記被押圧面の少なくともいずれか一方は、前記装着向きへ沿うにつれて、前記蓋部が前記電源側面部を開放する向きとは反対側へ次第に傾斜していることが好ましい。
本発明によれば、押圧面および被押圧面の少なくともいずれか一方は、装着向きへ沿うにつれて、蓋部が電源側面部を開放する向きとは反対側へ次第に傾斜する傾斜面となっている。これにより、光源装置の光源装着部に対する装着向きへの移動に伴って、押圧面は、被押圧面を一定の力で押圧したまま滑らかに摺動することができる。従って、光源装置の光源装着部に対する装着向きへの移動に伴って、蓋部を安定して移動させることができる。
【発明を実施するための最良の形態】
【００１４】
図を用いて、本発明の実施形態を説明する。
＜第１実施形態＞
〔プロジェクタ１の構成〕
本実施形態のプロジェクタ１は、光源装置４０から射出される光束を画像情報に応じて変調してカラー画像（光学像）を形成し、このカラー学像をスクリーン（図示略）上に拡大投射するものである。
図１は、本発明の第１実施形態のプロジェクタ１の内部構成を模式的に示す図である。
このプロジェクタ１は、図１に示すように、略直方体形状を有する外装筺体２と、当該外装筐体２内に収納される装置本体１０とを備える。この装置本体１０は、投射光学装置としての投射レンズ３、光学装置としての光学ユニット４、および、電源装置５等を備える。なお、図１において、図示は省略するが、外装筺体２内には、プロジェクタ１内部を冷却する冷却ユニット、およびプロジェクタ１内部の各構成部材を制御する制御装置等も配置されるものとする。
図１において、プロジェクタ１において、投射レンズ３の射出方向先端側を前方、基端側を後方とする。
このうち、投射レンズ３は、光学ユニット４にて形成されたカラー画像を図示しないスクリーン上に拡大投射する。この投射レンズ３は、筒状の鏡筒内に複数のレンズが収納された組レンズとして構成されている。
【００１５】
電源装置５は、光学ユニット４および制御装置等に電力を供給するものである。この電源装置５は、電源ブロック（図示略）と、ランプ駆動ブロック（図示略）とを備えている。
電源ブロックは、電源ケーブルを通して外部から供給された商用交流電流を直流変換し、変換された直流電流を昇圧・降圧してランプ駆動ブロックおよび制御装置等に供給する。
ランプ駆動ブロックは、後述する光学ユニット４を構成する光源装置４０に、安定した電圧で電力を供給する。ランプ駆動ブロックは電源側コネクタ５１を備え、詳しくは後述するが、この電源側コネクタ５１は、後述する光学ユニット４を構成する光源装置４０の光源側コネクタ４１５に接続している。これより、ランプ駆動ブロックは、電源側コネクタ５１を介して、光源装置４０に電力を供給している。
【００１６】
〔光学ユニット４の詳細な構成〕
光学ユニット４は、前記制御装置による制御の下、光源ランプ４１６から射出された光束を、光学的に処理して画像情報に対応したカラー画像を形成するユニットである。この光学ユニット４は、図１に示すように、平面視略Ｕ字形状を有している。
光学ユニット４は、光源装置４０と、インテグレータ照明光学系４１と、色分離光学系４２と、リレー光学系４３と、電気光学装置４４と、これらの光学部品４１〜４４を収納する光学部品用筐体４６とを備える。
【００１７】
光源装置４０は、図１に示すように、放射状の光線を射出する光源ランプ４１６と、この光源ランプ４１６から射出された放射光を反射するリフレクタ４１７と、これら部材４１６，４１７を内部に収納するランプハウジング４１８（図２）とを備える。光源ランプ４１６としては、ハロゲンランプやメタルハライドランプ、高圧水銀ランプが多用される。リフレクタ４１７は、本実施形態では放物面鏡を用いているが、平行化凹レンズとともに楕円面鏡を用いてもよい。
【００１８】
詳しくは後述するが、光源装置４０は、光学部品用筐体４６に対しランプハウジング４１８ごと着脱可能となっている。
また、光源装置４０は、電源装置５から供給された電力を取得するための光源側コネクタ４１５（図２）を備えている。光源側コネクタ４１５は、光源装置４０が光学部品用筐体４６に装着されている際には、電源装置５の電源側コネクタ５１に接続している。そして、光源側コネクタ４１５は、電源装置５から電力を取得し、配線を介して光源ランプ４１６に電力を供給している。
【００１９】
インテグレータ照明光学系４１は、光源装置４０から射出された光束を利用して、電気光学装置４４を構成する３枚の液晶パネル４４１の画像形成領域をほぼ均一に照明するための光学系であり、第１レンズアレイ４１２と、第２レンズアレイ４１３と、偏光変換素子４１４と、第１コンデンサレンズ４１０Ａと、反射ミラー４２４と、第２コンデンサレンズ４１０Ｂとを備える。
【００２０】
第１レンズアレイ４１２は、入射光束の光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。
【００２１】
第２レンズアレイ４１３は、第１レンズアレイ４１２と同様な構成を有しており、小レンズがマトリクス状に配列された構成を有している。この第２レンズアレイ４１３は、第２レンズアレイ４１３の後段に配置された第１コンデンサレンズ４１０Ａおよび第２コンデンサレンズ４１０Ｂとともに、第１レンズアレイ４１２の各小レンズの像を液晶パネル４４１上に結像させる機能を有する。
【００２２】
偏光変換素子４１４は、第２レンズアレイ４１３と第１コンデンサレンズ４１０Ａとの間に配置される。偏光変換素子４１４は、第２レンズアレイ４１３からの光を１種類の偏光光に変換するものであり、これにより、電気光学装置４４での光の利用効率が高められている。
【００２３】
具体的に、偏光変換素子４１４によって１種類の偏光光に変換された各部分光は、第１コンデンサレンズ４１０Ａおよび第２コンデンサレンズ４１０Ｂよって、最終的に電気光学装置４４の液晶パネル４４１上にほぼ重畳される。偏光光を変調するタイプの液晶パネル４４１を用いたプロジェクタ１では、１種類の偏光光しか利用できないため、他種類のランダムな偏光光を発する光源ランプ４１６からの光束の略半分が利用されない。このため、偏光変換素子４１４を用いることにより、光源ランプ４１６から射出された光束を全て１種類の偏光光に変換し、電気光学装置４４での光の利用効率を高めている。
【００２４】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤（Ｒ）、緑（Ｇ）、青（Ｂ）の３色の色光に分離する機能を有している。
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００２５】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１９を通って、青色用の液晶パネル４４１Ｂに到達する。このフィールドレンズ４１９は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１９も同様である。
【００２６】
また、ダイクロイックミラー４２１を透過した赤色光と緑色光のうちで、緑色光は、ダイクロイックミラー４２２によって反射し、フィールドレンズ４１９を通って、緑色用の液晶パネル４４１Ｇに到達する。一方、赤色光は、ダイクロイックミラー４２２を透過してリレー光学系４３を通り、さらにフィールドレンズ４１９を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１９に伝えるためである。なお、リレー光学系４３には、３つの色光のうちの赤色光を通す構成としたが、これに限らず、例えば、青色光を通す構成としてもよい。
【００２７】
電気光学装置４４は、入射された光束を画像情報に応じて変調するものである。電気光学装置４４は、色分離光学系４２で分離された各色光が入射される３つの入射側偏光板４４２と、各入射側偏光板４４２の後段に配置される光変調装置としての液晶パネル４４１Ｒ，４４１Ｇ，４４１Ｂ（赤色光用の液晶パネルを４４１Ｒ、緑色光用の液晶パネルを４４１Ｇ、青色光用の液晶パネルを４４１Ｂとする）と、各液晶パネル４４１Ｒ，４４１Ｇ，４４１Ｂの後段にそれぞれ配置される３つの射出側偏光板４４３と、クロスダイクロイックプリズム４４４とを備える。
【００２８】
入射側偏光板４４２は、色分離光学系４２で分離された各色光のうち、偏光変換素子４１４で揃えられた光束の偏光軸と略同一方向の偏光光のみ透過させ、その他の光束を吸収するものであり、サファイアガラス等の透光性基板に偏光膜が貼付されたものである。また、透光性基板を用いずに、偏光膜をフィールドレンズ４１９に貼り付けてもよい。
【００２９】
液晶パネル４４１Ｒ，４４１Ｇ，４４１Ｂは、一対の透明ガラス基板間に電気光学物質である液晶が密閉封入された構成を有し、制御装置から出力される画像情報に応じて画像形成領域内にある前記液晶の配向状態を制御し、入射側偏光板４４２から射出された偏光光束の偏光方向を変調する。
射出側偏光板４４３も、入射側偏光板４４２と略同様に構成され、液晶パネル４４１の画像形成領域から射出された光束のうち、入射側偏光板４４２における光束の透過軸と直交する偏光軸を有する光束のみ透過させ、その他の光束を吸収するものである。
【００３０】
クロスダイクロイックプリズム４４４は、射出側偏光板４４３から射出され、色光毎に変調された光束を合成して、カラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００３１】
光学部品用筐体４６は、光源装置４０が装着される略箱型形状の光源装着部４６２と、光源装置４０を除く他の光学部品４２〜４４が収納される容器状に形成された部品収納部４６１とを備えている。詳しくは後述するが、光源装着部４６２の内側壁には、前述した電源側コネクタ５１が配置されている。さらに、光源装着部４６２の底面壁（外装筐体２の底面壁と対向する壁）には、光源装置４０を交換するための開口部４６２１（図２）が形成されている。
【００３２】
図２は、プロジェクタ１を下方前面側からみた斜視図である。
図２に示すように、外装筐体２の底面部の前面側略中央には、開口部２３６が形成されている。開口部２３６は、前述した光学部品用筐体４６の光源装着部４６２に形成された開口部４６２１の位置に対応している。このため、光源装置４０は、開口部２３６および開口部４６２１を介して、光源装着部４６２に着脱自在となっている。光源装置４０の装着時には、光源装置４０は、リフレクタ４１７（図１）から射出される光束の照明光軸が、インテグレータ照明光学系４１の設計上の光軸と一致する向きに挿入される。また、開口部２３６には、開口部２３６に対しスライドして着脱可能なカバー２３７が設けられている。
【００３３】
光源側コネクタ４１５は、図２に示すように、ランプハウジング４１８の外壁面に固定されている。
図２に示すように、本実施形態では、光源装着部４６２に対する光源装置４１の装着向きは、プロジェクタ１の底面側から上面側へ向かう向きであり、光源装着部４６２に対する光源装置４１の取り外し向きは、プロジェクタ１の上面側から底面側へ向かう向きである。ここで、この光源装置４１の装着・取り外し方向をＹ軸方向とし、装着向きを＋Ｙ軸方向、取り外し向きを−Ｙ軸方向とする。
【００３４】
〔光源側コネクタ４１５および電源側コネクタ５１の構成〕
図３は、光源装置４０装着前における光源側コネクタ４１５、および、電源側コネクタ５１を抜粋して示した分解斜視図である。図３においても、図２と同様に、光源装着部４６２（図２）に対する光源装置４１の装着・取り外し方向をＹ軸方向とし、装着向きを＋Ｙ軸方向、取り外し向きを−Ｙ軸方向とする。
図３に示すように、電源側コネクタ５１は、光源装着部４６２（図２）内側壁において、光源側コネクタ４１５に接続される電源側接続面５１１１を、−Ｙ軸方向に向けて配置されている。そして、光源側コネクタ４１５は、電源側コネクタ５１に接続される光源側接続面４１５３を、＋Ｙ軸方向に向けて配置される。
従って、光源側コネクタ４１５および電源側コネクタ５１の着脱方向は、光源装着部４６２に対する光源装置４１の装着・取り外し方向と、同方向となっている。
本実施形態では、光源装置４０が光源装着部４６２内に装着される動作と連動して、光源側コネクタ４１５が電源側コネクタ５１に接続し、光源装置４０が光源装着部４６２内から取り外される動作と連動して、光源側コネクタ４１５が電源側コネクタ５１から外される。
【００３５】
〔電源側コネクタ５１の構成〕
電源側コネクタ５１は、図３に示すように、コネクタ本体５１１と、蓋部としてのシャッター部５１２と、移動手段、維持手段および付勢手段としてのばね５１３とを備えている。
コネクタ本体５１１は、略直方体形状を有し、−Ｙ軸方向側端面に形成された電気側面部としての電源側接続面５１１１と、電源側接続面５１１１から＋Ｙ軸方向へ没入形成された２つの端子５１１２とを備えている。
電源側接続面５１１１は、光源側コネクタ４１５が電源側コネクタ５１に接続した際に、光源側コネクタ４１５の光源側接続面４１５３が当接する。電源側接続面５１１１は、Ｙ軸方向と略直交している。
端子５１１２には、光源側コネクタ４１５が電源側コネクタ５１に接続した際に、後述する光源側コネクタ４１５の端子４１５４が嵌め込まれる。このような端子５１１２は、本発明の電極に相当する。
【００３６】
シャッター部５１２は、光源装着部４６２に対する光源装置４０のＹ軸方向の移動に伴って、電源側接続面５１１１を完全に被覆または開放する。このようなシャッター部５１２は、Ｙ軸方向と略直交する方向へ往復移動可能に構成されており、往復移動することによって電源側接続面５１１１を被覆または開放する。
【００３７】
ここで、シャッター部５１２の移動方向とＸ軸方向とし、シャッター部５１２が電源側接続面５１１１を被覆する移動向きを＋Ｘ軸方向、被覆する移動向きを−Ｘ軸方向とする。さらに、Ｙ軸方向およびＸ軸方向に直交する方向をＺ軸方向とし、図３の斜視図における右手前側を＋Ｚ軸方向、左奥側を−Ｚ軸方向とする。
シャッター部５１２は、平面部としてのシャッター５１２１と、受け部５１２２とを備えている。
シャッター５１２１は、Ｙ軸方向と略直交した矩形状平面を有する板状部材であり、その矩形状平面は、電源側接続面５１１１よりも大きい寸法を有している。
【００３８】
受け部５１２２は、光源装置４０の＋Ｙ軸方向への移動に伴って、後述する光源側コネクタ４１５の突起部４１５２により押圧される。詳しくは後述するが、この突起部４１５２の押圧によって、シャッター部５１２が−Ｘ軸方向に移動する。
受け部５１２２は、図３に示すように、−Ｚ軸方向側から見ると直角三角形状を有する板状部材である。受け部５１２２は、シャッター５１２１の−Ｚ軸方向側側面において、−Ｙ軸方向へ突出して固定されている。受け部５１２２の＋Ｘ軸方向端面は、＋Ｙ軸方向に向かうにつれて次第に＋Ｘ軸方向へ傾斜する傾斜面となっており、本発明の被押圧面５１２３Ａに相当する。詳しくは後述するが、この被押圧面５１２３Ａには、光源装置４１１の＋Ｙ軸方向への移動に伴って、光源側コネクタ４１５の突起部４１５２が当接する。
また、受け部５１２２の−Ｘ軸方向側端面には、ばね５１３が接合されている。
【００３９】
はね５１３は、付勢力によって、シャッター部５１２を電源側接続面５１１１を完全に被覆する位置へ移動させ、かつ、電源側接続面５１１１を被覆した状態で維持させるものである。ばね５１３の一端は受け部５１２２の−Ｘ軸方向端面に接合され、他端は光源装着部４６２（図２）の内側壁に接合されている。
ばね５１３が静止状態にあるとき、シャッター部５１２は、電源側接続面５１１１を完全に覆う位置に配置される。そして、ばね５１３は、圧縮されるにつれて、シャッター部５１２をＸ軸方向へ付勢する。ばね５１３が最大限圧縮されたとき、シャッター部５１２は、電源側接続面５１１１を完全に開放する位置に配置される。
【００４０】
〔光源側コネクタ４１５の構成〕
光源側コネクタ４１５は、図３に示すように、コネクタ本体４１５１と、押圧部としての突起部４１５２とを備えている。
コネクタ本体４１５１は、略直方体形状を有し、＋Ｙ軸方向側端面に形成された光源側接続面４１５３と、光源側接続面４１５３から＋Ｙ軸方向へ突出された２本の端子４１５４とを備えている。
光源側接続面４１５３は、電源側接続面５１１１と同寸法を有し、光源側コネクタ４１５が電源側コネクタ５１に接続した際に、電源側接続面５１１１に当接する。光源側接続面４１５３は、Ｙ軸方向と略直交している。
２本の端子４１５４は、本発明の電極に相当し、光源側コネクタ４１５が電源側コネクタ５１に接続した際に、電源側コネクタ５１の２つの端子５１１２にそれぞれ挿入する。
【００４１】
突起部４１５２は、図３に示すように、直方体形状を有し、コネクタ本体４１５１の−Ｚ軸方向側側面において、光源側接続面４１５３から＋Ｙ軸方向へ突出するように固定されている。突起部４１５２の＋Ｙ軸方向側端面には、押圧面４１５５が形成されている。
押圧面４１５５は、光源装置４０の＋Ｙ軸方向への移動に伴って、電源側コネクタ５１を構成する受け部５１２２の被押圧面５１２３を押圧する。
【００４２】
〔光源装置４０装着時における光源側コネクタ４１５および電源側コネクタ５１の作用〕
次に、図３〜図５を用いて、光源装置４０を光源装着部４６２に装着する際の光源側コネクタ４１５および電源側コネクタ５１の作用について説明する。
図４は、光源装置４０が光源装着部４６２（図２）から取り外されている際の電源側コネクタ５１を示す斜視図、図５は、接続後の光源側コネクタ４１５および電源側コネクタ５１を示す斜視図である。
光源装置４０の装着前では、図４に示すように、光源装着部４６２内の電源側コネクタ５１では、ばね５１３によってシャッター部５１２は、電源側接続面５１１１を完全に覆う位置に配置されている。
光源装置４０の装着時には、前述したように、光源装置４０は、使用者の手によって、光源側コネクタ４１５の光源側接続面４１５３を＋Ｙ軸方向へ向けた状態で、光源装着部４６２に向かって＋Ｙ軸方向に移動する。
【００４３】
やがて、光源側コネクタ４１５における突起部４１５２の−Ｘ軸方向側の角部が、電源側コネクタ５１の被押圧面５１２３の−Ｘ軸方向側端部に当接する。そして、光源装置４０が＋Ｙ軸方向へ移動するにつれて、突起部４１５２の−Ｘ軸方向側角部は、被押圧面５１２３の−Ｘ軸方向側端部から＋Ｘ軸方向側端部へ摺動する。この間、押圧面４１５５は、被押圧面５１２３を−Ｘ軸方向に押圧するため、シャッター部５１２が−Ｘ軸方向へ移動する。そして、シャッター部５１２が−Ｘ軸方向へ移動することで、ばね５１３が圧縮される。
さらに、光源装置４０が＋Ｙ軸方向へ移動すると、突起部４１５２によりシャッター部５１２は、電源側接続面５１１１を完全に開放する位置まで移動する。このとき、光源側コネクタ４１５の端子４１５４の先端が、電源側接続面５１１１の端子５１１２に接触する。
【００４４】
さらに、光源装置４０が＋Ｙ軸方向へ移動すると、端子４１５４が端子５１１２に挿入する。端子４１５４および端子５１１２が互いに嵌合するまで、光源装置４０が＋Ｙ軸方向へ移動すると、図５に示すように、光源側接続面４１５３が電源側接続面５１１１に当接し、光源側コネクタ４１５および電源側コネクタ５１の接続が完了する。そして、本実施形態のプロジェクタ１は、この光源側コネクタ４１５および電源側コネクタ５１の接続完了と同時に、光源装置４０が光源装着部４６２に適切に装着されるように設計されている。
【００４５】
光源側コネクタ４１５および電源側コネクタ５１が接続した状態では、シャッター部５１２は、ばね５１３から＋Ｘ軸方向の付勢力を受けて、シャッター５１２１の＋Ｘ軸方向端面が、光源側コネクタ４１５のコネクタ本体４１５１の−Ｘ軸方向端面に当接した状態で維持される。
一方、光源装置４０を光源装着部４６２から取り外す際には、使用者は、光源装置４０を光源装着部４６２から−Ｙ軸方向に引き上げる。すると、電源側コネクタ５１では、ばね５１３の付勢力によって、シャッター部５１２が＋Ｘ軸方向へ移動し、電源側接続面５１１１を完全に被覆する。
【００４６】
本実施形態によれば、以下のような効果を奏することができる。
光源装置４０が光源装着部４６２に装着されていない際には、ばね５１３がシャッター部５１２を電源側接続面５１１１を被覆する向き（＋Ｘ軸方向）へ移動し、さらに、シャッター部５１２を電源側接続面５１１１を被覆した状態で維持させている。
そして、光源装置４０を光源装着部４６２に装着する際には、光源装置４０の光源装着部４６２に対する装着向き（＋Ｙ軸方向）への移動に伴って、突起部４１５２が、シャッター部５１２を電源側接続面５１１１を開放する向き（−Ｘ軸方向）へ移動させる。そして、光源装置４０の光源装着部４６２に対する装着向きへの移動に伴って、開放された電源側接続面５１１１の端子５１１２に光源側接続面４１５３の端子４１５４を挿入することで、光源側コネクタ４１５と電源側コネクタ５１の接続、および、光源装置４０の光源装着部４６２への装着が完了する。すなわち、光源装置４０の光源装着部４６２に対する装着向きへの移動に伴って電源側接続面５１１１が開放されるため、光源装置４０の装着時に、使用者の手が電源側コネクタ５１の端子５１１２に触れて感電することを防ぐことができる。
【００４７】
このような構成によれば、本実施形態の電源側コネクタ５１は、従来のプロジェクタの電源側コネクタのように使用者の指が届かないほど奥まった箇所に電極が配置された構造に対して、小型化を図ることができる。従って、電源側コネクタ５１を搭載することによるプロジェクタ１の大型化や、電源コネクタのサイズがプロジェクタの設計上の制約となることを防ぐことができる。
【００４８】
そして、ばね５１３の付勢力によって、シャッター部５１２を電源側接続面５１１１を被覆する向きへ移動し、さらに、シャッター部５１２を電源側接続面５１１１を被覆した状態で維持させることができる。従って、電源側コネクタ５１の構成を簡素化し、部品点数を削減することができる。
さらに、光源装置４０の光源装着部４６２に対する装着向きへの移動に伴って、光源側コネクタ４１５の突起部４１５２が、電源側コネクタ５１のシャッター部５１２の受け部５１２２を、電源側接続面５１１１を開放する向きへ押圧する。すると、突起部４１５２による受け部５１２２への押圧によって、シャッター部５１２が電源側接続面５１１１を開放する向きへ移動し、電源側接続面５１１１が開放される。このように、光源装置４０の装着向きへの移動と、電源側接続面５１１１を開放する向きへのシャッター部５１２の移動とを、比較的簡単な構成で連動させることができる。従って、光源側コネクタ４１５および電源側コネクタ５１の構成を簡素化し、故障しにくい構成とすることができる。
【００４９】
また、被押圧面５１２３は、＋Ｙ軸方向に沿うにつれて、シャッター部５１２が電源側接続面５１１１を開放する向きとは反対側へ次第に傾斜する傾斜面となっている。これにより、光源装置４０の光源装着部４６２に対する装着向きへの移動に伴って、押圧面４１５５は、被押圧面５１２３を一定の力で押圧したまま滑らかに摺動することができる。従って、光源装置４０の光源装着部４６２に対する装着向きへの移動に伴って、シャッター部５１２を安定して移動させることができる。
【００５０】
＜第２実施形態＞
図６を用いて、本発明の第２実施形態を説明する。
図６は、本実施形態の光源装置４０の装着前における光源側コネクタ４１５、および、電源側コネクタ５１を抜粋して示した分解斜視図である。
本実施形態のプロジェクタ１は、第１実施形態で示したプロジェクタ１と比較して、図６に示すように、電源側コネクタ５１の受け部５１２２Ａ、および、光源側コネクタ４１５の突起部４１５２Ａの構成が異なる。なお、本実施形態の説明にあたって、第１実施形態で前述された同一構成要件については、同一符号を付し、その説明を省略する。
【００５１】
本実施形態の電源側コネクタ５１を構成するシャッター部５１２の受け部５１２２Ａは、図６に示すように、シャッター５１２１の＋Ｚ軸方向側端面において＋Ｙ軸方向側に固定されている。
受け部５１２２Ａは、＋Ｚ軸方向側から見ると台形形状を有する板状部材である。受け部５１２２Ａは、Ｚ軸方向と略直交し、かつ、平面視台形状の上辺を含む側面（＋Ｙ軸方向側端面）が、シャッター５１２１とほぼ同面内に配置されるように固定されている。受け部５１２２の＋Ｘ軸方向端面は、＋Ｙ軸方向に向かうにつれて次第に＋Ｘ軸方向へ傾斜する傾斜面となっており、本発明の被押圧面５１２３Ａに相当する。
受け部５１２２Ａの−Ｘ軸方向側端面には、ばね５１３の一端が接合されており、第１実施形態と同様に、シャッター部５１２は、ばね５１３によりＸ軸方向の付勢を受ける。
【００５２】
光源側コネクタ４１５の突起部４１５２Ａは、コネクタ本体４１５１の＋Ｚ軸方向側端面に固定されている。これにより、光源装着部４６２に対する光源装置４０の装着時に、突起部４１５２Ａは、受け部５１２２Ａに対しＹ軸方向に対向する。
さらに、突起部４１５２Ａは、第１実施形態の突起部４１５２と比較して＋Ｙ軸方向へ伸張した形状となっている。  
【００５３】
本実施形態での光源装置４０装着時における光源側コネクタ４１５および電源側コネクタ５１の作用は、第１実施形態における作用とほぼ同様である。
具体的には、光源装置４０が光源装着部４６２に対し＋Ｙ軸方向へ移動するにつれて、突起部４１５２Ａにおける被押圧面５１２３の−Ｘ軸方向側の角部が、被押圧面５１２３の−Ｘ軸方向側端部から＋Ｘ軸方向側端部へ摺動する。この間、押圧面４１５５Ａは、被押圧面５１２３を−Ｘ軸方向に押圧するため、シャッター部５１２が−Ｘ軸方向へ移動する。さらに、光源装置４０が＋Ｙ軸方向へ移動すると、シャッター部５１２が電源側接続面５１１１を完全に開放する位置まで移動し、端子４１５４が端子５１１２に挿入する。
このようにして、光源側コネクタ４１５が電源側コネクタ５１の接続し、この接続完了と同時に、光源装置４０が光源装着部４６２に適切に装着される。
一方、光源装置４０を光源装着部４６２から取り外した際には、ばね５１３の付勢により、シャッター部５１２が、電源側接続面５１１１を完全に被覆する位置に移動する。
【００５４】
本実施形態によれば、前述した第１実施形態における効果と同様の効果を奏することができる。すなわち、光源装置４０の光源装着部４６２に対する装着向きへの移動に伴って電源側接続面５１１１が開放されるため、使用者は、光源装置４０の装着時に、電源側コネクタ５１付近に手を伸ばす必要がない。これにより、本実施形態の電源側コネクタ５１は、従来のプロジェクタの電源側コネクタように使用者の指が届かないほど奥まった箇所に電極が配置された構造に対して、小型化を図ることができる。従って、電源側コネクタ５１を搭載することによるプロジェクタ１の大型化や、電源コネクタのサイズがプロジェクタの設計上の制約となることを防ぐことができる。
さらに、本実施形態によれば、受け部５１２２Ａは、シャッター５１２１よりも装着向き（＋Ｙ軸方向）側に設けられていることから、使用者の指が届きにくい側に設けられていることになる。従って、使用者が、受け部５１２２Ａを指で押して、シャッター部５１２を電源側接続面５１１１を開放する向き（−Ｘ軸方向）へ移動させることを防ぐことができる。
【００５５】
〔前記実施形態の変形〕
本発明を実施するための最良の構成などは、以上の記載で開示されているが、本発明はこれに限定されるものではない。すなわち、前記各実施形態は、本発明を限定するものではないから、それらの形状、材質などの限定の一部若しくは全部の限定を外した部材の名称での記載は、本発明に含まれるものである。
【００５６】
前記各実施形態では、電源側コネクタ５１を構成する受け部５１２２，５１２２Ａの被押圧面５１２３，５１２３Ａを、＋Ｙ軸方向に向かうにつれて次第に＋Ｘ軸方向へ傾斜する傾斜面とした。しかしながら、本発明では、図７に示すように、受け部５１２２Ｂの被押圧面５１２３ＢをＹ軸方向と略直交する面とし、光源側コネクタ４１５を構成する突起部４１５２Ｂの押圧面４１５５Ｂを、＋Ｙ軸方向に向かうにつれて次第に＋Ｘ軸方向へ傾斜する傾斜面としてもよい。
さらに、本発明では、電源側コネクタ５１の被押圧面および光源側コネクタ４１５の押圧面のいずれも、＋Ｙ軸方向に向かうにつれて次第に＋Ｘ軸方向へ傾斜する傾斜面としてもよい。
【００５７】
前記各実施形態では、ばね５１３の付勢力が、シャッター部５１２を、電源側接続面５１１１を被覆する方向へ移動させ、かつ、電源側接続面５１１１を被覆した状態で維持させるとした。しかしながら、本発明では、ばね５１３の付勢力ではなく、例えば、電磁アクチュエータ等による電磁力、シャッター部５１２の自重すなわち重力などが、シャッター部５１２を、電源側接続面５１１１を被覆する方向へ移動させ、かつ、電源側接続面５１１１を被覆した状態で維持させてもよい。
【００５８】
前記各実施形態では、光源側コネクタ４１５において、光源側接続面４１５３から突出する端子４１５４を設け、電源側コネクタ５１において、電源側接続面５１１１に没入形成された端子５１１２を設けるとした。しかしながら、本発明では、光源側コネクタ４１５に没入形成された端子を設け、電源側接続面５１１１に突出形成された端子を設けてもよい。この場合、光源側コネクタ４１５に突起部４１５２，４１５２Ｂを設けず、光源側接続面４１５３の一端部を押圧面とし、光源側接続面４１５３の一端部で、受け部５１２２，５１２２Ｂの被押圧面５１２３，５１２３Ｂを押圧する構成でもよい。
【００５９】
前記各実施形態では、電源側コネクタ５１を構成する受け部５１２２，５１２２Ａの被押圧面５１２３，５１２３Ａを、＋Ｙ軸方向に向かうにつれて次第に＋Ｘ軸方向へ傾斜する平面状の傾斜面とした。しかしながら、被押圧面５１２３，５１２３Ａは、例えば、Ｙ軸方向に向かうにつれて次第に＋Ｘ軸方向へ傾斜する円筒面としてもよい。
【００６０】
前記各実施形態では、光学ユニット４が平面視略Ｕ字形状を有した構成を説明したが、これに限らず、例えば、平面視略Ｌ字形状を有した構成を採用してもよい。
また、前記各実施形態では、光束入射面と光束射出面とが異なる透過型の液晶パネル４４１を用いていたが、光入射面と光射出面とが同一となる反射型の液晶パネルを用いてもよい。
さらに、前記各実施形態のプロジェクタ１では、３つの液晶パネル４４１Ｒ，４４１Ｇ，４４１Ｂを用いたが、本発明はこれに限らない。すなわち２つ、あるいは、４つ以上の液晶パネルを用いたプロジェクタにも、本発明を適用可能である。
【００６１】
前記各実施形態では、光変調装置として液晶パネル４４１を備えたプロジェクタ１を例示したが、入射光束を画像情報に応じて変調して光学像を形成する光変調装置であれば、他の構成の光変調装置を採用してもよい。例えば、マイクロミラーを用いたデバイスなど、液晶層以外の光変調装置を用いたプロジェクタにも、本発明を適用することも可能である。このような光変調装置を用いた場合、光束入射側および光束射出側の偏光板４５２，４５３は、省略することができる。
【００６２】
前記各実施形態では、スクリーンを観察する方向から画像投射を行なうフロントタイプのプロジェクタ１のみを例示したが、本発明は、スクリーンを観察する方向とは反対側から画像投射を行なうリアタイプのプロジェクタにも適用可能である。
【図面の簡単な説明】
【００６３】
【図１】本発明の第１実施形態に係るプロジェクタの概略構成を示す模式平面図。
【図２】前記実施形態に係るプロジェクタを下方前面側から見た斜視図。
【図３】前記実施形態に係る電源側コネクタおよび光源側コネクタを示す分解斜視図。
【図４】前記実施形態に係る接続前の電源側コネクタ示す斜視図。
【図５】前記実施形態に係る接続後の電源側コネクタおよび光源側コネクタを示す斜視図。
【図６】本発明の第２実施形態に係る電源側コネクタおよび光源側コネクタを示す分解斜視図。
【図７】前記各実施形態の変形に係る電源側コネクタおよび光源側コネクタを示す分解斜視図。
【符号の説明】
【００６４】
１…プロジェクタ、３…投射レンズ（投射光学装置）、５…電源装置、４０…光源装置、４１５…光源側コネクタ、４１５１…コネクタ本体、４１５２，４１５２Ａ，４１５２Ｂ…突起部（押圧部）、４１５３…光源側接続面（光源側面部）、４１５４…端子（電極）、４１５５，４１５５Ｂ…押圧面、４４１（４４１Ｒ，４４１Ｇ，４４１Ｂ）…液晶パネル（光変調装置）、４６２…光源装着部、５１…電源側コネクタ、５１１…コネクタ本体、５１２…シャッター部（蓋部）、５１１１…電源側接続面（電源側面部）、５１１２…端子（電極）、５１２１…シャッター（平面部）、５１２２，５１２２Ａ，５１２２Ｂ…受け部、５１２３，５１２３Ａ…被押圧面、５１３…ばね（移動手段、維持手段、付勢手段）。
【図１】
2007264273.tif 000003
【図２】
2007264273.tif 000004
【図３】
2007264273.tif 000005
【図４】
2007264273.tif 000006
【図５】
2007264273.tif 000007
【図６】
2007264273.tif 000008
【図７】
2007264273.tif 000009